(57)【要約】【課題】集塵ユニットを機外に引出してメンテナンスする電気集塵装置において、作業負荷が軽減され、かつ集塵性能を高めることが可能な形状・構造を達成することを目的とする。【解決手段】集塵ユニットフレーム８の前面に仮設取手９が取付けられる構造とし、仮設取手９は持ち手部９ａと結合部９ｂで構成し、結合部９ｂを集塵ユニットフレーム８に引っ掛けて装着することで容易に着脱可能とし、仮設取手９の持ち手部９ａを握って集塵ユニット３を引出す力が、結合部９ｂから集塵ユニットフレーム８に伝わる構造としたことにより作業負荷が軽減され、かつ集塵性能を高めることが可能という効果を得ることができる。【選択図】図１
2013169494.tif 000002
【特許請求の範囲】
【請求項１】
道路トンネルの排気ガスを通して空気中の塵埃を除去する電気集塵装置において、
この電気集塵装置は、２つの集塵ユニットフレーム間に複数の帯電極板と複数の放電極板とを交互に平行に配置した集塵ユニットと、
この集塵ユニットは、下部に通風方向に平行に設けた本体レールで構成され、
前記集塵ユニットフレームの前面に取手保持部を設け、
持ち手部と結合部で構成した仮設取手を用いて、
この仮設取手の前記結合部を前記保持部に引っ掛けて装着し、
前記仮設取手の持ち手部を持って前記集塵ユニットを通風方向前方へ引き出す電気集塵装置。
【請求項２】
前記本体レールは、通風方向前方に延長するように仮設レールを取り付ける構造とした請求項１記載の電気集塵装置。
【請求項３】
前記保持部は、前記集塵ユニットフレーム前方に設けた切欠きで構成し、
この切欠きは、開放側に設けた幅広の位置決め部と奥側に設けた幅の狭い接続部で構成され、
前記仮設取手の持ち手部は、前記接続部の幅よりも小さい径を有し、
前記仮設取手の結合部は、前記位置決め部を通過する大きさとした請求項１または２記載の電気集塵装置。
【請求項４】
前記切欠きには、前記位置決め部と前記接続部の間に集塵ユニット引出し方向と反対側へ突出した抜け防止板を設けたことを特徴とする請求項３記載の電気集塵装置。
【請求項５】
仮設取手は絶縁材料で形成することを特徴とする請求項１から４記載の電気集塵装置。
【請求項６】
仮設取手にワイヤーの片方端を固定し、前記ワイヤーのもう一方の端部を集塵機本体に着脱自在にすることを特徴とする請求項１から５記載の電気集塵装置。
【請求項７】
集塵ユニットフレームの切欠きは、集塵ユニット前面の高さ方向に複数設けることを特徴とする請求項３から６記載の電気集塵装置。
【請求項８】
前記仮設取手は、左右一体で形成し、持ち手部が集塵ユニットの前方で水平に繋がる形状で構成することを特徴とする請求項１〜３いずれかひとつに記載の電気集塵装置。
【発明の詳細な説明】
【技術分野】
【０００１】
本発明は、例えばトンネル換気設備として設置される電気集塵装置に関するものである。
【背景技術】
【０００２】
従来、この種の大型の風量を処理する電気集塵装置は、本体内部に収納された集塵ユニットや本体内部を時々メンテンスする必要がある。しかし、メンテナンスを行う場合、そのままの状態ではメンテナンスが行えないので、集塵ユニットを機外へ取り出さなければならない。
【０００３】
このため、電気集塵機本体内に収納した集塵ユニットを電気集塵機本体に設けた左右一対の本体レール及び同本体レールに連設するよう設置される仮レールに沿って機外に取り出す方法が知られている。（例えば、特許文献１参照）。
【０００４】
以下、その集塵ユニット取り出し方法について図５を参照し説明する。
【０００５】
図５に示すように、電気集塵装置は集塵機本体１０１の内部両側壁に本体レール１０２が設けられ集塵ユニット１０３を保持している。また、集塵ユニット１０３の底面には車輪１０７が組み付けられている。メンテナンス時には扉１０８を開けて、左右一対の仮レール１０６をフォークリフト１１４のフォーク１１５に設置し、フォークリフト１１４を操作して仮レール１０６が本体レール１０２と連設状態となるようにし、集塵ユニット１０３を本体レール１０２及び仮レール１０６上をスライドさせて引き出す。
【先行技術文献】
【特許文献】
【０００６】
【特許文献１】特許第３４１６４６４号公報
【発明の概要】
【発明が解決しようとする課題】
【０００７】
このような従来の集塵ユニット取り出し方法によれば、集塵ユニットは機外に取り出すことができる。しかし、集塵ユニットを仮レール上にスライドさせて引き出す作業は、集塵ユニットに手を掛けて行わなければならない。
【０００８】
集塵ユニットは２つの集塵ユニットフレーム間に複数の極板が配置されているが、一般的に極板は薄い板で形成されているため強度がなく力を掛けると変形する恐れがあるため、集塵ユニットフレームを持って引き出すことになる。
【０００９】
ところが、高い集塵性能を得るためには極板の枚数をできるだけ増やさなければならない。そのため、集塵ユニットフレームは幅が小さく、且つ集塵機本体の側面に寄せて配置されるので掴み難く、集塵ユニットに十分な力を掛けることができないという課題がある。
【００１０】
そこで本発明は、上記従来の課題を解決するものであり、集塵性能を損なわず、コンパクト性を有し、且つ集塵ユニットの引出し作業を容易にした電気集塵装置を提供することを目的とする。
【課題を解決するための手段】
【００１１】
この目的を達成するために、本発明は、道路トンネルの排気ガスを通して空気中の塵埃を除去する電気集塵装置において、この電気集塵装置は、２つの集塵ユニットフレーム間に複数の帯電極板と複数の放電極板とを交互に平行に配置した集塵ユニットと、この集塵ユニットは、下部に通風方向に平行に設けた本体レールで構成され、前記集塵ユニットフレームの前面に取手保持部を設け、持ち手部と結合部で構成した仮設取手を用いて、この仮設取手の前記結合部を前記保持部に引っ掛けて装着し、前記仮設取手の持ち手部を持って前記集塵ユニットを通風方向前方へ引き出すことを特徴とする電気集塵装置であり、これにより所期の目的を達成するものである。
【発明の効果】
【００１２】
本発明によれば、集塵ユニットの引出し作業において集塵ユニットに十分な力を掛けられ、メンテナンス作業の負荷軽減と安全確保が可能になる。また、所定の容積内に極板を多く配すことが可能であり集塵性能を高められる効果を得ることができる。
【図面の簡単な説明】
【００１３】
【図１】本発明の実施の形態１の電気集塵装置の詳細図
【図２】本発明の実施の形態１の集塵ユニットの詳細図
【図３】本発明の実施の形態２の電気集塵装置の詳細図
【図４】本発明の実施の形態３の電気集塵装置の詳細図
【図５】従来の電気集塵装置の側面図
【発明を実施するための形態】
【００１４】
以下、本発明の実施の形態について図を参照しながら説明する。
【００１５】
（実施の形態１）
図１において、１は電気集塵機本体で、例えば道路トンネルの換気搭内に設置される。前記電気集塵機本体１内には、集塵ユニット３が例えば２段に設けられる。この集塵ユニット３は、電気集塵機本体１内の両側壁に取り付けられた本体レール２上に設置され、その下側に設けた車輪７により本体レール２上を移動できるようになっている。上記集塵ユニット３をメンテナンス等において機外に取り出す場合には、本体レール２の風上側端部に左右それぞれ仮レール６を取り付けて、集塵ユニット３を仮レール６上に移動させて引き出す。
【００１６】
次に、図２を用いて集塵ユニット３の構造説明を行う。図２は図１における集塵ユニット３のみを抜き出した図面である。集塵ユニット３は左右両端の集塵ユニットフレーム８間に極板５が積層されている。極板５はステンレスで形成されるが、板厚が０．４〜１ｍｍと薄いため集塵ユニット３を引出す際に力を掛けると変形する恐れがある。尚、各々の極板５には極板支持棒が左右の集塵ユニットフレーム８まで貫通され、集塵ユニットフレーム８に支持されている。集塵ユニットフレーム８は板厚が２〜５ｍｍの板を箱状に折曲げ成形されているため、集塵ユニット３を引き出す際に力を掛けても問題ない。また、集塵ユニットフレーム８の仮レール６側となる通風方向前方には、極板５と直交するように平らな面（取手保持部１１）が折曲げ成形されている。この取手保持部１１は、集塵ユニットフレーム８の強度を確保するのに十分な幅を有しておればよく、集塵ユニット３の通風断面積を大きく確保するために、できるだけ小さくすることが望ましい。
【００１７】
次に、仮設取手９は持ち手部９ａと結合部９ｂで構成される。持ち手部９ａは例えば直径３０ｍｍで長さ２００ｍｍの円筒状に成形されている。また、結合部９ｂはコの字状に折曲げ成形される。仮設取手９は結合部９ｂを集塵ユニットフレーム８の側面外側から取手保持部１１に引っ掛けて装着し容易に着脱可能とする。
【００１８】
これにより、持ち手部９ａを握って集塵ユニット３を引出す力が結合部９ｂから集塵ユニットフレーム８に伝わる構造としている。
【００１９】
また、集塵ユニットフレーム８の幅が小さい取手保持部１１を直接持つよりも、円筒状の持ち手のほうが握り易く集塵ユニット３に十分な力を掛けられる。更に、集塵ユニット３を引出す場合のみ仮設取手９を装着するため、電気集塵機本体１が簡素でコンパクトに出来る。
【００２０】
尚、仮設取手９は左右一体で形成し、持ち手部９ａが集塵ユニット３の通風方向前方で水平に繋がる形状で構成してもよい。これにより作業者は左右の集塵ユニットフレーム８の幅に腕を広げなくても持ち手を握ることができ、集塵ユニットフレーム８を直接持って集塵ユニット３を引出すよりも持ち手を握りやすく十分な力を集塵ユニット３に掛けられる。
【００２１】
また、仮設取手９は絶縁材料で形成するとよい。これにより仮設取手９を取り付ける際に、誤って感電することがなく安全にメンテナンス作業が行える。
【００２２】
また、仮設取手９にワイヤーの片方端を固定し、前記ワイヤーのもう一方の端部を電気集塵機本体１に着脱可能にしてもよい。これにより集塵ユニット３を引出す際に、仮設取手９を電気集塵機本体１に繋げられるので、仮設取手９が誤って落下することがなく周囲の安全を確保できる。
【００２３】
（実施の形態２）
図３に本発明の実施の形態２の電気集塵装置の詳細図を示す。
【００２４】
実施の形態１でも説明したが、集塵ユニット３の構造は左右両端の集塵ユニットフレーム８間に極板５が積層されている。高い集塵性能を得るためには、集塵面積と帯電能力を増加させることが必要であり、それらを担う極板５はできるだけ枚数を増やす対処がなされる。その分、集塵ユニットフレーム８は電気集塵機本体１の側面に寄せて配置されるので、集塵ユニットフレーム８と電気集塵機本体１に隙間が無く、集塵ユニットフレーム８を掴み難く、集塵ユニット３に十分な力を掛けることができない。また、実施の形態１のように仮設取手９を集塵ユニットフレーム８の側面外側から引っ掛けることができない。
【００２５】
そこで、集塵ユニットフレーム８の取手保持部１１には切欠き１０を設けている。
【００２６】
切欠き１０は、集塵ユニット３を引出すための仮設取手９を挿入する位置決め部１０ａと、仮設取手９が接続する接続部１０ｂが連接している。切欠き１０の開放側（位置決め部１０ａ）は仮設取手９の結合部９ｂを通風方向風上側から通すだけの大きさとしている。また、切欠き１０の奥側（接続部１０ｂ）は仮設取手９の結合部９ｂが通風方向に抜けない大きさになっている。仮設取手９は結合部９ｂを位置決め部１０ａから集塵ユニットフレーム８に挿入し接続部１０ｂに引っ掛けて装着し容易に着脱可能とする。
【００２７】
これにより、集塵ユニット３と電気集塵機本体１の隙間が狭く集塵ユニットフレーム８に手が掛けられない構造であっても、集塵ユニット３に十分な力を掛けられる。また、集塵ユニット３を引出す場合のみ取手を設けるため、電気集塵機本体１が簡素でコンパクトに出来る。
【００２８】
尚、抜け防止板１２を位置決め部１０ａと接続部１０ｂの間に、集塵ユニット引出し方向と反対側へ突出して設けることで、集塵ユニット３を引き出す際に仮設取手９が容易に抜け外れることがなくなる。
【００２９】
（実施の形態３）
図４に本発明の実施の形態３の電気集塵装置の詳細図を示す。
【００３０】
この形態は、切欠き１０を集塵ユニットフレーム８前面の高さ方向に複数設けている。
【００３１】
このようにすれば、集塵ユニット３の収納に高さに合わせて仮設取手９を取り付けることができる。例えば、高い位置に収納されている集塵ユニット３の場合、集塵ユニットフレーム８の前面下側に取手を付けて引出すことができるので、作業者が仮設取手９に手が掛けられる範囲において高所に登る必要がなくなり、安全にメンテナンス作業が行える。
【産業上の利用可能性】
【００３２】
本発明は、道路トンネル換気用の電気集塵機に用いることができる。
【符号の説明】
【００３３】
１      電気集塵機本体
２      本体レール
３      集塵ユニット
５      極板
６      仮レール
７      車輪
８      集塵ユニットフレーム
９      仮設取手
９ａ    持ち手部
９ｂ    結合部
１０    切欠き
１０ａ  位置決め部
１０ｂ  接続部
１１    取手保持部
１２    抜け防止板
【図１】
2013169494.tif 000003
【図２】
2013169494.tif 000004
【図３】
2013169494.tif 000005
【図４】
2013169494.tif 000006
【図５】
2013169494.tif 000007